(57)【特許請求の範囲】
【請求項１】
オンスクリーン表示を制御する表示制御手段と、
上記表示制御手段の所定の出力端子から出力されるオンスクリーン制御信号が共に供給される複数の表示手段と、
上記複数の表示手段のうち、１つの表示手段で表示動作を行わせることにより、上記オンスクリーン制御信号に基づいたオンスクリーン表示を行う表示手段を選択する表示選択手段とを有し、
上記表示制御手段の所定の出力端子からは、上記表示選択手段で表示動作を行わせるものとして選択した上記表示手段に表示する情報のオンスクリーン制御信号が出力される
ことを特徴とするオンスクリーン表示装置。
【請求項２】
上記表示選択手段は、上記表示手段への電源供給を制御して、上記１つの表示手段で表示動作を行わせる
ことを特徴とする請求項１記載のオンスクリーン表示装置。
【請求項３】
上記複数の表示手段の少なくとも１つは開閉自在の表示手段であって、上記表示選択手段は、上記開閉自在の表示手段の開閉状態に応じて上記複数の表示手段への電源供給を制御する
ことを特徴とする請求項２記載のオンスクリーン表示装置。
【発明の詳細な説明】
【０００１】
【産業上の利用分野】
この発明は、例えばカメラ一体型ビデオテープレコーダに適用して好適なオンスクリーン表示装置に関する。
【０００２】
【従来の技術】
従来のカメラ一体型ビデオテープレコーダでは、時刻・日付・動作表示あるいは警告表示等の情報が画像と共に電子ビューファインダ（以下「ＥＶＦ」という）に表示される。また、一部の情報は画像と共にビデオテープに記録されたりあるいは画像と共に外部に出力される。このように時刻や日付等の情報を画像と共にＥＶＦに表示させるなどのオンスクリーン表示制御は、例えばカメラ部・ビデオ部・ＥＶＦ部のそれぞれに対して情報が供給されて行われる。ここで図３に従来のカメラ一体型ビデオテープレコーダにおけるオンスクリーン表示装置の構成例を示す。
【０００３】
図３において、１はカメラ部である。このカメラ部１のレンズ２によって、被写体の光学像は撮像素子（例えばＣＣＤ）３の撮像面上に結像される。撮像素子３では、撮像面上に結像された光学像から例えば３原色信号が形成される。この３原色信号は、ＡＧＣ回路４で利得が調整されたのちＡ／Ｄ変換器５でディジタル信号に変換されてディジタル信号処理回路６に供給される。
【０００４】
ディジタル信号処理回路６では、供給されたディジタル信号から輝度信号ＳＹと搬送色信号ＳＣが生成される。この輝度信号ＳＹは加算器７に供給されると共に搬送色信号ＳＣはビデオ部１０の帯域制限用のクシ型フィルタ１１に供給される。
【０００５】
４１はオンスクリーン制御信号発生部（以下「ＯＳＤ部」という）である。このＯＳＤ部４１では、マイクロコンピュータ（以下「マイコン」という）４０のオンスクリーン制御データＤＯＳＤに基づいて時刻や日付等を表示するためのカメラ部オンスクリーン制御信号ＳＳＣが形成される。形成されたカメラ部オンスクリーン制御信号ＳＳＣは、ＯＳＤ部４１の第１の出力端子４１ａから加算器７に供給される。なお、マイコン４０からＯＳＤ部４１に供給されるオンスクリーン制御データＤＯＳＤは、図示しない操作スイッチの操作に応じて出力されたり、ビデオ部等の動作状態に応じて自動的に出力されるものである。
【０００６】
加算器７では、ディジタル信号処理回路６から供給された輝度信号ＳYにＯＳＤ部４１からのカメラ部オンスクリーン制御信号ＳSCが加算される。この加算して得られた輝度信号ＳYAは、ビデオ部１０のＡＧＣ回路１２を介して加算器１３に供給される。
【０００７】
ＯＳＤ部４１では、カメラ部オンスクリーン制御信号ＳSCだけでなくテープカウンタ値やテープ残量等を表示するためのビデオ部オンスクリーン制御信号ＳSVが形成される。このビデオ部オンスクリーン制御信号ＳSVは、ＯＳＤ部４１の第２の出力端子４１ｂから加算器１３に供給される。
【０００８】
このため、加算器１３では、ＡＧＣ回路１２を介して供給された輝度信号ＳＹＢにＯＳＤ部４１からのビデオ部オンスクリーン制御信号ＳＳＶが加算される。この加算して得られた輝度信号ＳＹＤは、合成回路１４に供給されると共にＥＶＦ部２０の加算器２１に供給される。
【０００９】
合成回路１４では、クシ型フィルタ１１を介して供給された搬送色信号ＳＣと加算器１３からの輝度信号ＳＹＤが合成されてビデオ信号とされる。この合成されて得られたビデオ信号は増幅回路１５を介してビデオ出力端子１６から出力される。
【００１０】
また、図示してはいないがビデオ入力端子から外部ビデオ信号が供給された時には、この外部ビデオ信号にビデオ部オンスクリーン制御信号ＳＳＶが加算されて処理される。なお、カメラ部からの輝度信号ＳＹＡや搬送色信号ＳＣあるいはビデオ入力端子から供給されたビデオ信号の記録再生部は省略する。
【００１１】
次に、ＯＳＤ部４１では、警告表示（例えばバッテリーエンドやテープエンド等）を行うためのＥＶＦ部オンスクリーン制御信号ＳＳＥが形成される。このＥＶＦ部オンスクリーン制御信号ＳＳＥは、ＯＳＤ部４１の第３の出力端子４１ｃからＥＶＦ部２０の加算器２１に供給される。このため、加算器２１では、ビデオ部１０の加算器１３から供給された輝度信号ＳＹＤにＯＳＤ部４１からのＥＶＦ部オンスクリーン制御信号ＳＳＥが加算される。この加算して得られた輝度信号ＳＹＥは、増幅回路２２を介してＥＶＦ駆動処理回路２３に供給されてＥＶＦ表示器（例えば小型ブラウン管など）２４に表示される。
【００１２】
【発明が解決しようとする課題】
ところで、上述したＯＳＤ部４１は３系統のオンスクリーン表示制御が可能なＩＣで構成されており、３つの出力端子から各系統のオンスクリーン制御信号をそれぞれ出力するものであり、さらに１系統のオンスクリーン表示制御を行うものとすれば、４系統のオンスクリーン制御信号を出力できるＩＣに変更する必要がある。このため、部品のコストアップを招くだけでなく４系統のオンスクリーン表示制御が可能なＩＣに合わせてマイコン４０のプログラムを作り直す必要があり開発に時間を要していた。
【００１３】
そこで、この発明では、複数系統のオンスクリーン表示制御を系統の数よりも少ない信号出力端子から出力される制御信号で制御できるオンスクリーン表示装置を提供するものである。
【００１４】
【課題を解決するための手段】
この発明に係るオンスクリーン表示装置は、オンスクリーン表示を制御する表示制御手段と、上記表示制御手段の所定の出力端子から出力されるオンスクリーン制御信号が共に供給される複数の表示手段と、上記複数の表示手段のうち、１つの表示手段で表示動作を行わせることにより、上記オンスクリーン制御信号に基づいたオンスクリーン表示を行う表示手段を選択する表示選択手段とを有し、上記表示制御手段の所定の出力端子からは、上記表示選択手段で表示動作を行わせるものとして選択した上記表示手段に表示する該表示手段に対応した情報のオンスクリーン制御信号が出力されるものである。
【００１６】
【作用】
この発明においては、表示制御手段の所定の出力端子に接続された複数の表示手段に対して、電源の供給を制御して表示動作を行うものとされた１つの表示手段に表示する情報のオンスクリーン制御信号が出力される。また、複数の表示手段の少なくとも１つは開閉自在の表示手段であって、開閉自在の表示手段の開閉状態に応じて複数の表示手段への電源供給が制御されて１つの表示手段で表示動作が行われる。このため、表示制御手段の出力端子数がオンスクリーン表示制御の系統数よりも少ない場合であってもこの系統数の表示を行うことが可能となる。また、オンスクリーン表示制御の系統数が増加しても、制御信号を切り換えて処理することで対応できるので、系統数の増加に伴うＩＣの変更等が必要なく、ソフトウェアの変更等により容易に対応可能であると共に安価に構成することが可能となる。
【００１７】
【実施例】
以下、図面を参照しながら、この発明に係るオンスクリーン表示装置の一実施例について説明する。本例はカメラ一体型ビデオテープレコーダに適用したものでありの図３はその外観を示している。このカメラ一体型ビデオテープレコーダは、図１に示すようにカメラ部１，ビデオ部１０，ＥＶＦ部２０およびパネル表示部３０とから構成される。
【００１８】
このカメラ部１とビデオ部１０はカメラ一体型ビデオテープレコーダの本体部に設けられ、ＥＶＦ部２０は本体部上側に可動可能なように配される。また、パネル表示部３０は図１に示すように本体部左側面に開閉可能なように配される。なお、本体部前面にはカメラ部１のレンズ２が配されている。
【００１９】
本体部の後面には、電源を供給するためのバッテリー５１が装着されると共に、オーディオ・ビデオ信号を外部に出力したり外部からのオーディオ・ビデオ信号を入力するためのオーディオ・ビデオ入出力端子部５２が配設される。また、後面右側には録画を開始または停止するための録画操作スイッチ５３が配設される。
【００２０】
パネル表示部３０の端部側面には、パネル開レバー５４が配設されている。このパネル開レバー５４を操作することで、パネル表示部３０はパネル支持部５５を軸として本体部から回動されて開状態とされる。なお、パネル表示部３０が閉状態とされたときの本体部と対向する面側に、ＬＣＤパネル３４が配設されており、本体部のパネル表示部３０と対向する面側には、オンスクリーン表示等を制御するための操作スイッチ部５６が配設されている。
【００２１】
次に、図２を参照しながら、この発明に係るオンスクリーン表示装置の一実施例の構成について説明する。なお、図２において図３と対応する部分については同一符号を付しその詳細な説明は省略する。
【００２２】
図２において、ビデオ部１０の加算器１３から出力された輝度信号ＳＹＤは、ＥＶＦ部２０の加算器２１だけでなくパネル表示部３０の加算器３１にも供給される。また、ＯＳＤ部４１の第３の出力端子から出力されるオンスクリーン制御信号は、ＥＶＦ部２０の加算器２１とパネル表示部３０の加算器３１に供給される。このため、加算器２１では、ビデオ部１０の加算器１３から供給された輝度信号ＳＹＤにＯＳＤ部４１から供給されたオンスクリーン制御信号が加算される。この加算して得られた輝度信号ＳＹＥは、増幅回路２２を介してＥＶＦ駆動処理回路２３に供給される。また、加算器３１では、ビデオ部１０の加算器１３から供給された輝度信号ＳＹＤにＯＳＤ部４１から供給されたオンスクリーン制御信号が加算される。この加算して得られた輝度信号ＳＹＦは、増幅回路３２を介してパネル駆動処理回路３３に供給される。
【００２３】
また、パネル駆動処理回路３３には、ビデオ部１０のクシ型フィルタ１１を介してカメラ部１のディジタル信号処理回路６から供給される搬送色信号ＳＣが供給される。このため、パネル駆動処理回路３３によって供給された輝度信号ＳＹＦと搬送色信号ＳＣに基づいてＬＣＤパネル３４に表示が行われる。
【００２４】
ところで、ＯＳＤ部４１にオンスクリーン制御データＤＯＳＤを供給するマイコン４０には、パネル表示部３０が開状態であるか閉状態であるかを示す検出信号ＳＰが供給される。
【００２５】
すなわち、パネル表示部３０が開状態であるか閉状態であるかを検出する検出スイッチ４２は、一方の端子が電源供給端子４３に接続されると共に他方の端子は抵抗器４４を介してＮＰＮ形トランジスタ４６のベース端子に接続される。また、トランジスタ４６のベース端子とエミッタ端子は抵抗器４５を介して接続されて、このエミッタ端子は接地される。トランジスタ４６のコレクタ端子は、抵抗器４７を介して電源供給端子４３に接続されると共にマイコン４０に接続される。このため、パネル表示部３０が閉状態であるときには、検出スイッチ４２はオン状態とされてトランジスタ４６は導通状態となりローレベル「Ｌ」の検出信号ＳＰがマイコン４０に供給される。また、パネル表示部３０が開状態であるときには、検出スイッチ４２はオフ状態とされてトランジスタ４６は非導通状態となりハイレベル「Ｈ」の検出信号ＳＰがマイコン４０に供給される。
【００２６】
さらに、検出スイッチ４２の抵抗器４４と接続された端子は、ＥＶＦ電源部４８に接続されると共にインバータ回路４９を介してパネル電源部５０に接続される。このため、検出スイッチ４２がオン状態の時には、ハイレベル「Ｈ」の信号がＥＶＦ電源部４８に供給されると共にローレベル「Ｌ」の信号がパネル電源部５０に供給されて、ＥＶＦ電源部４８からはＥＶＦ部２０に電源供給が行われるが、パネル電源部５０からはパネル表示部３０に電源供給が行われない。また、検出スイッチ４２がオフ状態の時には、ローレベル「Ｌ」の信号がＥＶＦ電源部４８に供給されると共にハイレベル「Ｈ」の信号がパネル電源部５０に供給されて、ＥＶＦ電源部４８からはＥＶＦ部２０に電源供給が行われないが、パネル電源部５０からはパネル表示部３０に電源供給が行われる。
【００２７】
パネル表示部３０が閉状態とされて検出スイッチ４２がオン状態のときは、マイコン４０にローレベル「Ｌ」の検出信号ＳＰが供給されるため、マイコン４０からはＥＶＦ部２０での表示を行うためのオンスクリーン制御データＤＯＳＤがＯＳＤ部４１に供給される。すなわち、ＯＳＤ部４１の第３の出力端子４１ｃからは、ＥＶＦ部オンスクリーン制御信号ＳＳＥがＥＶＦ部２０の加算器２１とパネル表示部３０の加算器３１に供給される。しかし、上述したように検出スイッチ４２がオン状態であるためにパネル表示部３０には電源が供給されず、電源が供給されているＥＶＦ部２０のＥＶＦ表示器２４でのみ表示が行われる。
【００２８】
また、パネル表示部３０が開状態とされて検出スイッチ４２がオフ状態であるときは、マイコン４０にハイレベル「Ｈ」の検出信号ＳＰが供給されるため、マイコン４０からはＥＶＦ部２０の表示と異なる表示をパネル表示部３０で行うためのオンスクリーン制御データＤＯＳＤがＯＳＤ部４１に供給される。このＯＳＤ部４１の第３の出力端子４１ｃからは、パネル部オンスクリーン制御信号ＳＳＰがＥＶＦ部２０の加算器２１とパネル表示部３０の加算器３１に供給される。しかし、検出スイッチ４２がオフ状態であるためにＥＶＦ部２０には電源が供給されず、電源が供給されているパネル表示部３０のＬＣＤパネル３４でのみ表示が行われる。
【００２９】
このように本例によれば、ＯＳＤ部４１の１つの出力端子から２つの制御信号を切り換えて出力することにより４系統のオンスクリーン表示制御を３つの出力端子から出力される制御信号でもって制御することができる。また、パネル表示部３０の開閉状態を検出し、検出結果に基づいて２系統の信号を切り換えると共に検出結果に基づいて系統の異なる制御信号が供給される表示部は電源供給が停止される。このため、１つの出力端子から２つの制御信号を出力した場合であっても所定の表示以外の表示が行われることがない。
【００３０】
また、オンスクリーン表示制御の系統数が増加しても、制御信号を切り換えて処理することで対応できるので、系統数の増加に伴うＩＣの変更等の必要がない。このため、ソフトウェアの変更等により容易に対応できると共に安価に構成することができる。
【００３１】
なお、本例では１つの出力端子から２系統のオンスクリーン制御信号を切り換えて出力するものとしたが、１つの出力端子からさらに多くの系統のオンスクリーン制御信号を出力してオンスクリーン表示制御を行うことも容易にできることは勿論である。
【００３２】
【発明の効果】
この発明によれば、オンスクリーン表示を制御する表示制御手段と、表示制御手段の所定の出力端子から出力されるオンスクリーン制御信号が共に供給される複数の表示手段と、複数の表示手段のうち、１つの表示手段で表示動作を行わせることにより、オンスクリーン制御信号に基づいたオンスクリーン表示を行う表示手段を選択する表示選択手段とが設けられて、表示制御手段の所定の出力端子からは、表示選択手段で表示動作を行わせるものとして選択した表示手段に表示する情報のオンスクリーン制御信号が出力される。このため、表示制御手段の出力端子数がオンスクリーン表示制御の系統数よりも少ない場合であっても所定の表示を行うことができる。また、オンスクリーン表示制御の系統数が増加しても、オンスクリーン制御信号を切り換えて処理することで対応できるので、系統数の増加に伴うＩＣの変更等が必要なく、ソフトウェアの変更等により容易に対応可能であると共に安価に構成することができる。
【図面の簡単な説明】
【図１】この発明に係るオンスクリーン表示装置を適用したカメラ一体型ビデオテープレコーダの外観を示す図である。
【図２】この発明に係るオンスクリーン表示装置の一実施例の構成を示す図である。
【図３】従来のオンスクリーン表示装置の構成を示す図である。
【符号の説明】
１  カメラ部
７，１３，２１  加算器
１０  ビデオ部
２０  ＥＶＦ部
２４  ＥＶＦ表示器
３０  パネル表示部
３４  ＬＣＤパネル
４０  マイクロコンピュータ（マイコン）
４１  オンスクリーン制御信号発生部（ＯＳＤ部）
４２  検出スイッチ
４８  ＥＶＦ電源部
５０  パネル電源部
５４  パネル開レバー
５５  パネル支持部
【図１】
0003569955.tif 000002
【図２】
0003569955.tif 000003
【図３】
0003569955.tif 000004